(57)【特許請求の範囲】
【請求項１】
出金用の紙幣を収納する金庫に対して補充する紙幣を収納する補充カセットを備えた紙幣入出金装置におけるリジェクト紙幣の管理方法において、
補充動作時にリジェクト紙幣が発生すると、補充開始前の補充カセット内の紙幣の有高と、リジェクト紙幣発生時の補充カセット内の紙幣の有高と、リジェクト紙幣発生までに金庫に補充した紙幣の有高からリジェクト紙幣の有高を確定することを特徴とする紙幣入出金装置におけるリジェクト紙幣の管理方法。
【発明の詳細な説明】
【０００１】
【発明の属する技術分野】
本発明は、金融機関等に設置される自動取引装置に搭載される紙幣入出金装置に関するもので、特に、紙幣入出金装置におけるリジェクト紙幣の管理方法に関するものである。
【０００２】
【従来の技術】
金融機関に設置される自動取引装置には、紙幣の入出金処理を行うため、紙幣入出金装置が搭載されている。
この紙幣入出金装置は、出金用の紙幣および入金した紙幣のうち、出金に廻せる紙幣を金種別に収納しておくための複数の金種別カセット、これら金種別カセットに対して補充する紙幣を収納しておくとともに、金種別カセットから回収する紙幣を収納する補充回収カセット、各カセットにおいて集積した状態で収納してある紙幣を１枚ずつに分離して繰り出すとともに、金庫へ紙幣を集積させる分離機構、紙幣の真偽、正損、走行状態等を鑑別する鑑別装置、顧客との間で紙幣の授受を行う接客口、紙幣の搬送路、前記鑑別装置で異常と鑑別された紙幣を収納するリジェクト紙幣回収ボックス等から構成される。
【０００３】
上述した構成を有する紙幣入出金装置では、各取引時において紙幣が鑑別装置を通過する際に、金種を確定し、かつ枚数を計数することで、どの金種の紙幣が何枚あるかを求めることが可能である。
【０００４】
【発明が解決しようとする課題】
紙幣入出金装置においては、運用開始前に装置内に存在する紙幣の有高、運用に伴い増減する紙幣の有高、および運用終了時に装置内に存在する紙幣の有高を装置が自動的に計数し、これらを突き合わせて精査を行うようになっている。
しかしながら、鑑別装置で異常券であると鑑別されてリジェクトした紙幣には、走行異常等で金種を確定することができない紙幣が含まれているため、紙幣入出金装置内の紙幣有高を正確に把握できず、人手による計数が必要であるという問題があった。
【０００５】
このため、人手による計数を行わなくても、紙幣入出金装置内の紙幣の有高を正確に把握可能とするという課題がある。
【０００６】
【課題を解決するための手段】
上述した課題を解決するため、請求項１の発明は、出金用の紙幣を収納する金庫に対して補充する紙幣を収納する補充カセットを備えた紙幣入出金装置におけるリジェクト紙幣の管理方法において、補充動作時にリジェクト紙幣が発生すると、補充開始前の補充カセット内の紙幣の有高と、リジェクト紙幣発生時の補充カセット内の紙幣の有高と、リジェクト紙幣発生までに金庫に補充した紙幣の有高からリジェクト紙幣の有高を確定することを特徴とする紙幣入出金装置におけるリジェクト紙幣の管理方法である。
【００１０】
【発明の実施の形態】
図１は本発明の紙幣入出金装置の実施の形態の一例を示す概略構成図である。
図において、１は接客口で、入金取引時に顧客より投入された紙幣を分離したり、支払い取引時に顧客に支払われる紙幣を集積する。
２ａ〜２ｃは金種別カセットで、顧客に支払う紙幣および入金した紙幣のうち、支払いに廻せる紙幣を金種別に収納する。各金種別カセット２ａ〜２ｃには、該金種別カセット内の紙幣と区別して一時的に紙幣を収納可能な一時保留部３ａ〜３ｃと、紙幣の分離と集積を行う分離集積機構を備える。
【００１１】
４は補充回収カセットで、前記金種別カセット２ａ〜２ｃに補充する紙幣を収納するとともに、該金種別カセット２ａ〜２ｃから回収した紙幣を収納する。さらに、補充回収カセット４は補充動作時のリジェクト紙幣を収納するリジェクト部４ａを備え、紙幣入出金装置に対して着脱可能な構造となっている。
５は鑑別装置で、紙幣の真偽、正損、走行状態等を鑑別する。
【００１２】
６はリジェクト紙幣回収ボックスで、入金、出金および回収時のリジェクト紙幣を収納する。
７は搬送路で、上述した各構成間を結び、紙幣を搬送する。
８は制御部である。この制御部８は、顧客あるいは係員の操作に応じて、接客口１、金種別カセット２ａ〜２ｃあるいは補充回収カセット４から紙幣を繰り出して搬送路を搬送させ、鑑別装置５での鑑別結果に応じて所定の振り分け先に紙幣を分配する。
【００１３】
９は記憶部で、入金あるいは支払い取引で出入りした金種金額の計数結果や、補充あるいは回収動作で確定した装置内の紙幣の有高等を記憶する、また、制御部８は、接客口１、金種別カセット２ａ〜２ｃ、および補充回収カセット４等の紙幣の分離機構において、紙幣を１枚ずつ繰り出して行った時の情報（以後、個別情報と称す。）を記憶部９に記憶し、個別情報により各紙幣毎の状態を管理している。この個別情報は、その紙幣が分離された場所、金種、紙幣の表裏上下等の向き、走行状態等を監視するセンサの情報で、このセンサは鑑別装置５、分離機構および搬送路７に設けられるものである。
【００１４】
次に、上述した構成の紙幣入出金装置における各取引時の動作の概略を説明する。なお、金種別カセット２ａ〜２ｃにおいて、金種別カセット２ａと２ｂは万券収納用、金種別カセット２ｃは千券収納用に設定しておく。
補充動作は、係員により補充回収カセット４に収納された紙幣を１枚ずつに分離して繰り出し、鑑別装置５で鑑別を行った後、金種に応じて各金種別カセット２ａ〜２ｃに収納することで、金種別カセット２ａ〜２ｃに紙幣の補充がなされる。この補充動作においては、どの金種の紙幣が何枚補充されたかをカウントしており、この情報を記憶部９に記憶しておくことで、運用開始時の紙幣入出金装置内の有高を確定できる。
【００１５】
入金取引は、顧客により接客口１に紙幣が投入されると、これを１枚ずつに分離して装置内に取り込み、鑑別装置５で鑑別を行った後、鑑別結果に応じて金種別カセット２ａ〜２ｃの一時保留部３ａ〜３ｂのいずれかに集積する。そして、顧客により金額の確認キーが押下されると、一時保留部３ａ〜３ｂの紙幣を金種別カセット２ａ〜２ｃに収納する。この入金取引においては、どの金種の紙幣が何枚入金されたかをカウントしており、この情報を基に記憶部９の有高を更新して行くことで、入金取引後の紙幣の有高を確定できる。
【００１６】
支払い取引は、顧客により指定された金額に応じて、金種別カセット２ａ〜２ｃより紙幣を１枚ずつに分離して繰り出し、鑑別装置５で鑑別を行った後、接客口１へ送り込み、顧客へと支払われる。この支払い取引においては、どの金種の紙幣が何枚支払われたかをカウントしており、この情報を基に記憶部９の有高を更新して行くことで、支払い取引後の紙幣の有高を確定できる。
【００１７】
回収動作は、金種別カセット２ａ〜２ｃから全ての紙幣を１枚ずつに分離して繰り出し、鑑別装置５で鑑別を行った後、補充回収カセット４へ収納する。この回収動作においては、どの金種の紙幣が何枚回収されたかをカウントしており、これにより、紙幣入出金装置内の全ての紙幣有高が計数される。そして、運用開始時の紙幣入出金装置内の有高を取引によって更新して行った有高と、回収動作で取得した有高を突き合わせることで、精査を行うことが可能である。
【００１８】
ここで、上述した、支払い取引および回収動作中に鑑別装置５で異常と鑑別された紙幣は、リジェクト紙幣回収ボックス６に収納する。
リジェクト紙幣が発生した場合、金種が不明であると、有高を正確に把握できなくなる。そこで、リジェクト紙幣が発生した場合、個別情報を用いて金種を補正する。
【００１９】
すなわち、制御部８は、接客口１、金種別カセット２ａ〜２ｃ、一時保留部３ａ〜３ｃあるいは補充回収カセット４等から紙幣を分離して繰り出し、搬送路７を搬送して行くと、鑑別装置５や分離機構および搬送路７の図示しないセンサの情報から、その紙幣が分離された場所、金種、紙幣の表裏上下等の向き、走行状態等の情報からなる個別情報を記憶部９に記憶して行き、例えば、この個別情報で紙幣が大きく傾いて走行していると判断されると、この紙幣は走行異常としてリジェクトする。そして、リジェクト紙幣の金種が不明である時、個別情報の中の分離元情報により、金種情報を補正するものである。
【００２０】
図２は支払い取引および回収動作時の金種補正方法を示すフローチャートで、以下に第１の実施の形態の紙幣入出金装置の動作を説明する。
支払い取引または回収動作において、制御部８は、金種別カセット２ａ〜２ｃのいずれかから１枚ずつに分離して繰り出した紙幣を鑑別装置５で鑑別を行う。また、鑑別装置５での鑑別結果および金種別カセット２ａ〜２ｃの分離機構と搬送路７に設けた図示しないセンサの出力から個別情報を記憶部９に記憶して行く（ＳＡ１）。
【００２１】
制御部８は、搬送している紙幣がリジェクト紙幣かどうか判断する（ＳＡ２）。このＳＡ２の判断でリジェクト紙幣でないと判断された紙幣は、支払い取引であれば接客口１に送り込まれ、回収動作であれば補充回収カセット４に収納される（ＳＡ３）。ＳＡ２の判断で紙幣がリジェクト紙幣であった場合、枚数が確定できるかどうか判断する（ＳＡ４）。このＳＡ４の判断で枚数が確定できる場合は、金種が確定できるかどうか判断する（ＳＡ５）。ＳＡ４の判断で枚数が確定でき、ＳＡ５の判断で金種が確定できない場合は、記憶部９に記憶した個別情報の分離元情報からこのリジェクト紙幣の繰り出し元が金種別カセット２ａ〜２ｃのいずれであるかを判断する。そして、分離元情報からリジェクト紙幣の繰り出し元が例えば金種別カセット２ａであると記憶されていると、本実施の形態では、金種別カセット２ａは万券収納用であるので、リジェクト紙幣の金種を金種不明から万券と補正して記憶しておく（ＳＡ６）。支払い取引または回収動作時のリジェクト紙幣はリジェクト紙幣回収ボックス６に収納されるが（ＳＡ７）、鑑別装置５で金種が確定できないリジェクト紙幣であっても、枚数が確定できれば、分離元情報で金種情報を補正することで、リジェクト紙幣回収ボックス６内の紙幣の有高を確定することが可能となる。なお、リジェクト紙幣であっても（ＳＡ２）、鑑別装置５で枚数および金種が確定できる場合は（ＳＡ４，５）、その紙幣を通常通りリジェクト紙幣回収ボックス６へ収納しておくことで（ＳＡ６）、リジェクト紙幣回収ボックス６内の紙幣の有高は確定できる。これに対して、リジェクト紙幣で鑑別装置５で枚数が確定できない場合は、繰り出し元が判っても有高を確定することはできないので、この場合はリジェクト紙幣が発生した件数として記憶しておく。
【００２２】
以上説明したように、本発明の第１の実施の形態では、金種別カセット２ａ〜２ｃより紙幣を分離して繰り出す支払い取引あるいは回収動作時に、金種が不明と鑑別されたリジェクト紙幣が発生しても、金種別カセット２ａ〜２ｃの個々は金種が混在していないので、分離元情報から金種情報を補正でき、紙幣入出金装置全体の紙幣の有高を集計する際の作業が容易になる。
【００２３】
次に本発明の紙幣入出金装置の第２の実施の形態を説明する。なお、第２の実施の形態の紙幣入出金装置の構成は、図１で説明したものと同じである。
通常、紙幣入出金装置においては、支払い対象金種は万券と千券に設定されており、図１に示すように金種別カセットが３個ある場合、その２つを万券用として万券を収納し、１つを千券用として千券を収納して運用する場合が多い。五千券の入金は受け付けるようになっており、入金取引時に紙幣鑑別で五千券と鑑別された紙幣は、収納すべき金種別カセットが無いのでリジェクト紙幣として扱うこととし、各金種別カセットに設けた一時保留部の内の１つを五千券用に割り当てて、顧客による金額確認までこの一時保留部に五千券を集積し、顧客により金額の確認がなされると、五千券は一時保留部から繰り出され、リジェクト紙幣回収ボックス６へ収納するようになっている。第２の実施の形態の紙幣入出金装置では、一時保留部に集積した五千券をリジェクト紙幣回収ボックス６へ送る際に、金種不明と鑑別された紙幣について、これを個別情報から補正するものである。
【００２４】
以下、金種別カセット２ａと２ｂが万券収納用、金種別カセット２ｃが千券収納用に設定され、一時保留部３ａが万券の一時保留用、一時保留部３ｂが五千券の一時保留用、一時保留部３ｃが千券の一時保留用と設定した例で説明する。
図３は入金取引時の金種補正方法を示すフローチャートで、以下に第２の実施の形態の紙幣入出金装置の動作を説明する。
【００２５】
顧客により接客口１に入金された紙幣は、一枚ずつに分離して繰り出され（ＳＢ１）、鑑別装置５で鑑別された後、万券は金種別カセット２ａの一時保留部３ａ、五千券は金種別カセット２ｂの一時保留部３ｂ、千券は金種別カセット２ｃの一時保留部３ｃに集積される（ＳＢ２）。この動作は、顧客が接客口１に入金した紙幣がなくなるまで行われる（ＳＢ３）。入金取引時は、鑑別の結果、金種あるいは枚数が不明なリジェクト紙幣は接客口１に戻され（ＳＢ４）、顧客への返却および再投入を促す。紙幣の再投入があった場合は（ＳＢ５）、ＳＢ１に戻り、紙幣の分離そして鑑別を行い、金種鑑別が行えた紙幣は一時保留部３ａ〜３ｃのいずれかに集積し、リジェクト紙幣は接客口１に戻す。
【００２６】
リジェクト紙幣があった場合は、これが接客口１から取り出された後、顧客により金額確認キーが押されると（ＳＢ６）、一時保留部上の紙幣が金庫設定金種、ここでは万券か千券である場合は（ＳＢ７）、これを金種別カセットに収納する（ＳＢ８）。すなわち、一時保留部３ａに集積した紙幣（万券）は金種別カセット２ａに収納し、一時保留部３ｃに集積した紙幣（千券）は金種別カセット２ｃに収納する。
【００２７】
一時保留部上の紙幣が金庫設定金種以外の場合は（ＳＢ７）、これを１枚ずつに分離して繰り出す（ＳＢ９）。すなわち、一時保留部３ｂに集積した紙幣（五千券）を１枚ずつに分離して繰り出し、鑑別装置５に送り込み、鑑別処理を行う（ＳＢ１０）。ここで、紙幣入出金装置においては、一度金種別カセットあるいは一時保留部に集積した紙幣を別の金庫等に移動する場合は、確実に金種や枚数を確定するために必ず鑑別処理を行うようになっている。
【００２８】
このため、入金取引時に一時保留部３ｂに集積した五千券をリジェクト紙幣回収ボックス６に収納する際も再度鑑別処理が行われることとなるが、この鑑別処理で金種不明と鑑別されると、リジェクト紙幣回収ボックス６内の紙幣の有高が不明となってしまう。ここで、一時保留部３ｂに集積した五千券をリジェクト紙幣回収ボックス６に収納する際も、個別情報を記憶して行くので、金種不明と鑑別した場合、これを個別情報で補正する。
【００２９】
すなわち、制御部８は、搬送している紙幣がリジェクト紙幣かどうか判断する（ＳＢ１１）。このＳＢ１１の判断でリジェクト紙幣でないと判断された紙幣は、リジェクト紙幣回収ボックス６に収納される（ＳＢ１２）。
ＳＢ１３の判断で紙幣がリジェクト紙幣であった場合、枚数が確定できるかどうか判断する（ＳＢ１３）。このＳＢ１３の判断で枚数が確定できる場合は、金種が確定できるかどうか判断する（ＳＢ１４）。
【００３０】
ＳＢ１３の判断で枚数が確定でき、ＳＢ１４の判断で金種が確定できない場合は、記憶部９に記憶した個別情報の分離元情報からこのリジェクト紙幣の繰り出し元を判断する。そして、分離元情報からリジェクト紙幣の繰り出し元は五千券を一時保留すると設定してある一時保留部３ｂであると記憶されているので、リジェクト紙幣の金種を金種不明から五千券と補正して記憶しておき（ＳＢ１５）、この紙幣をリジェクト紙幣回収ボックス６へ収納する。これにより、鑑別装置５で金種が確定できないリジェクト紙幣であっても、枚数が確定できれば、分離元情報で金種情報を補正することで、リジェクト紙幣回収ボックス６内の紙幣の有高を確定することが可能となる。なお、リジェクト紙幣であっても（ＳＢ１１）、鑑別装置５で枚数および金種が確定できる場合は（ＳＢ１３，１４）、その紙幣を通常通りリジェクト紙幣回収ボックス６へ収納しておくことで（ＳＢ１２）、リジェクト紙幣回収ボックス６内の紙幣の有高は確定できる。これに対して、リジェクト紙幣で鑑別装置５で枚数が確定できない場合は、繰り出し元が判っても有高を確定することはできないので、この場合はリジェクト紙幣が発生した件数として記憶しておく。そして、上述した動作は、一時保留部３ｂ上の紙幣を全て分離して繰り出すまで繰り返し行う（ＳＢ１６）。ここで、入金取引時に一時保留部３ｂに集積した五千券は、顧客による金額確認が行われる段階では、金種およびその枚数が確定している。しかしながら、紙幣入出金装置では、上述したように、一度金種および枚数が確定した紙幣であっても、これを再度分離して繰り出し、別の金庫に収納する場合は、鑑別の確実性を高めるために必ず鑑別処理を行うこととしているので、五千券を一時保留部３ｂからリジェクト紙幣回収ボックス６へ送る時に、金種不明と鑑別されても、これを１度目の鑑別の結果で五千券と補正することはできず、個別情報で補正することとなる。
【００３１】
以上説明したように、本発明の第２の実施の形態では、入金取引時に、金庫設定金種以外の紙幣の入金を受けて、顧客による金額確定後、これを一時保留部からリジェクト紙幣回収ボックス６へ送る時に、金種が不明と鑑別されても、一時保留部に集積する金庫設定金種以外の紙幣は通常一金種であるので、分離元情報から金種情報を補正でき、紙幣入出金装置全体の紙幣の有高を集計する際の作業が容易になる。
【００３２】
次に本発明の紙幣入出金装置の第３の実施の形態を説明する。なお、第３の実施の形態の紙幣入出金装置の構成は、図１で説明したものと同じである。
補充動作中に鑑別装置５で異常と鑑別された紙幣は、補充回収カセット４のリジェクト部４ａに収納する。
補充動作時にリジェクト紙幣が発生した場合、金種あるいは枚数が不明であると、有高を正確に把握できなくなる。そこで、第３の実施の形態の紙幣入出金装置では、補充回収カセット４内の紙幣の有高をあらかじめ確定しておき、リジェクト紙幣が発生した場合、補充前の補充回収カセット４内の紙幣の有高と、リジェクト紙幣が発生した時点の補充回収カセット４内の紙幣の有高および金種別カセット２ａ〜２ｃに補充した紙幣の有高からリジェクト部４ａに収納した紙幣の有高を求めることとする。
【００３３】
図４は補充動作時の金種補正方法を示すフローチャートで、以下に第３の実施の形態の紙幣入出金装置の動作を説明する。
補充回収カセット４が紙幣入出金装置にセットされると、各金種別カセットへの補充動作の前に、まず、補充回収カセット４内の紙幣の有高を計数する（ＳＣ１）。計数とは、補充回収カセット４内の紙幣を一枚ずつに分離して繰り出し、鑑別装置５で鑑別した後、補充回収カセット４へ紙幣を戻すことで、補充回収カセット４内の紙幣の有高を確定するものである。この計数処理で求めた補充回収カセット４にあらかじめ収納してある紙幣の有高（ＳO ）は、記憶部９に記憶しておく。なお、補充回収カセット４の構造として、内部に収納している紙幣をその上部から分離繰り出し可能とする機構と、上述した分離繰り出しと並行して下部から紙幣を受け入れる機構と、この受け入れた紙幣を分離繰り出し可能に収納する機構を備えることで、上述した計数処理が可能となるものである。
【００３４】
上述したＳＣ１の計数処理が終了すると、補充を開始する。すなわち、補充回収カセット４に収納した紙幣を、一枚ずつに分離して繰り出して行き（ＳＣ２）、鑑別装置５で鑑別する（ＳＣ３）。
制御部８は、搬送している紙幣がリジェクト紙幣かどうか判断し（ＳＣ４）、このＳＣ４の判断でリジェクト紙幣でないと判断された紙幣は、金種に応じて金種別カセット２ａ〜２ｃのいずれかに収納する（ＳＣ５）。そして、記憶部９に記憶してある金種別カセット２ａ〜２ｃに補充した紙幣の有高（ＳH ）を更新する。
【００３５】
ＳＣ４の判断で紙幣がリジェクト紙幣であった場合、枚数が確定できるかどうか判断する（ＳＣ６）。このＳＣ６の判断で枚数が確定できる場合は、金種が確定できるかどうか判断する（ＳＣ７）。
ＳＣ６の判断で枚数が確定でき、ＳＣ７の判断で金種が確定できる場合は、このリジェクト紙幣をリジェクト部４ａに収納する（ＳＣ８）。この場合は、リジェクト紙幣であっても枚数および金種が確定しているので、リジェクト部４ａの紙幣の有高を確定できる。そして、補充回収カセット４内の紙幣の分離が終了していない場合は（ＳＣ９）、ＳＣ２に戻る。
【００３６】
ＳＣ６の判断で枚数が確定できないか、ＳＣ６の判断で枚数が確定できたがＳＣ７の判断で金種が確定できない場合は、補充回収カセット４からの紙幣の分離繰り出しを一時停止して補充を中断し（ＳＣ１０）、枚数不明あるいは金種不明と判断されたリジェクト紙幣をリジェクト部４ａに収納する（ＳＣ１１）。
次に、補充回収カセット４内の紙幣を再計数して、リジェクト紙幣発生時の補充回収カセット４内の紙幣の有高（ＳR ）を求める（ＳＣ１２）。そして、補充開始前に計数して求めた補充回収カセット４内の紙幣の有高ＳO から、リジェクト紙幣発生時の補充回収カセット４内の紙幣の有高ＳR とリジェクト紙幣発生までに金種別カセット２ａ〜２ｃに補充した紙幣の有高ＳH を差し引くことで、リジェクト部４ａの紙幣の有高を確定した後（ＳＣ１３）、ＳＣ２に戻り補充動作を再開する。
【００３７】
補充回収カセット４は、一般的に金種が混在しているので、補充動作時にリジェクト紙幣が発生した場合、第１の実施の形態あるいは第２の実施の形態のように、個別情報の分離元情報からでは金種を確定することはできない。このため、本発明の第３の実施の形態では、補充動作時にリジェクト部４ａに収納する紙幣の金種あるいは枚数が確定できないリジェクト紙幣が発生すると、補充動作を中断し、補充前の補充回収カセット４の紙幣の有高から、リジェクト紙幣発生時の補充回収カセット４内の紙幣の有高とリジェクト紙幣発生までに金種別カセット２ａ〜２ｃに補充した紙幣の有高を差し引くことで、リジェクト部４ａの紙幣の有高を確定して、補充動作を再開することとしたので、補充動作でリジェクト紙幣が発生しても、リジェクト部４ａに収納した紙幣の有高は確定でき、紙幣入出金装置全体の紙幣の有高を集計する際の作業が容易になる。
【００３８】
【発明の効果】
以上説明したように、本発明は、紙幣を金庫から繰り出すと、この紙幣がどの金庫から繰り出したものであるかを記憶しておき、紙幣が金種不明と鑑別されると、繰り出し元の金庫に割り当てられている金種情報を用いて、金種不明と鑑別された紙幣の金種を確定することとしたので、リジェクト紙幣であっても、その有高を確定でき、人手による計数処理を削減できる。
【図面の簡単な説明】
【図１】本発明の紙幣入出金装置の実施の形態の一例を示す概略構成図
【図２】支払い取引および回収動作時の金種補正方法を示すフローチャート
【図３】入金取引時の金種補正方法を示すフローチャート
【図４】補充動作時の金種補正方法を示すフローチャート
【符号の説明】
１  接客口
２ａ〜２ｃ  金種別カセット
３ａ〜３ｃ  一時保留部
４  補充回収カセット
４ａ  リジェクト部
６  リジェクト紙幣回収ボックス
８  制御部
９  記憶部
【図１】
0004453156.tif 000002
【図２】
0004453156.tif 000003
【図３】
0004453156.tif 000004
【図４】
0004453156.tif 000005